(57)【特許請求の範囲】
【請求項１】
プラントの監視又は制御に用いられる複数のモニタと表示画面の対応関係が記録されているテーブルを保持するテーブル保持手段と、
上記テーブル保持手段により保持されているテーブルを参照して、複数のモニタに表示される画面を生成する画面生成手段と、
上記テーブル保持手段により保持されているテーブルを参照して、上記画面生成手段で生成された画面毎の識別情報を示すタブ群を生成するタブ群生成手段と、
上記タブ群生成手段により生成されたタブ群を上記画面生成手段により生成された各モニタの画面に合成し、タブ群合成後の画面を各モニタに表示する画面表示手段と、
上記画面表示手段によりタブ群合成後の画面が表示されている各モニタに対する操作を受け付ける操作受付手段と、
上記操作受付手段により或るモニタに対する操作が受け付けられ、上記操作が或るモニタ以外のモニタに表示されている画面の識別情報を示すタブを押下する操作であれば、或るモニタに表示されている画面が或るモニタ以外のモニタに表示されている画面に切り替わり、かつ、或るモニタ以外のモニタに表示されている画面が或るモニタに表示されている画面に切り替わるように、上記テーブルに記録されているモニタと表示画面の対応関係を更新する対応関係更新手段とを備えたマルチモニタ切替装置。
【請求項２】
上記対応関係更新手段は、上記操作受付手段により或るモニタに対する操作が受け付けられ、上記操作が或るモニタに表示されている画面を或るモニタ以外のモニタに複製を指示する操作であれば、或るモニタ以外のモニタに表示されている画面が或るモニタに表示されている画面に切り替わるように、上記テーブルに記録されているモニタと表示画面の対応関係を更新することを特徴とする請求項１記載のマルチモニタ切替装置。
【請求項３】
上記タブ群生成手段は、上記対応関係更新手段により更新されたテーブルを参照して、新たにタブ群を生成するとともに、新たなタブ群を生成してから一定時間の経過後に、上記タブ群を構成している複数のタブをモニタ番号順に整列させることを特徴とする請求項１または請求項２記載のマルチモニタ切替装置。
【請求項４】
上記タブ群生成手段は、複数のモニタに表示される画面の識別情報を示すタブ群を生成する際、上記画面生成手段により生成された画面のサムネイルを、上記タブ群を構成している各タブに含めることを特徴とする請求項１から請求項３のうちのいずれか１項記載のマルチモニタ切替装置。
【請求項５】
プラントの監視又は制御に用いられる複数のモニタと表示画面の対応関係が記録されているテーブルを参照して、画面生成手段が複数のモニタに表示される画面を生成する画面生成処理ステップと、
タブ群生成手段が上記テーブルを参照して、上記画面生成処理ステップで生成された画面毎の識別情報を示すタブ群を生成するタブ群生成処理ステップと、
画面表示手段が上記タブ群生成処理ステップで生成されたタブ群を上記画面生成処理ステップで生成された各モニタの画面に合成し、タブ群合成後の画面を各モニタに表示する画面表示処理ステップと、
操作受付手段が上記画面表示処理ステップによってタブ群合成後の画面が表示されている各モニタに対する操作を受け付ける操作受付処理ステップと、
上記操作受付処理ステップで或るモニタに対する操作が受け付けられ、上記操作が或るモニタ以外のモニタに表示されている画面の識別情報を示すタブを押下する操作であれば、対応関係更新手段が或るモニタに表示されている画面が或るモニタ以外のモニタに表示されている画面に切り替わり、かつ、或るモニタ以外のモニタに表示されている画面が或るモニタに表示されている画面に切り替わるように、上記テーブルに記録されているモニタと表示画面の対応関係を更新する対応関係更新処理ステップとを備えたマルチモニタ切替方法。
【発明の詳細な説明】
【技術分野】
【０００１】
この発明は、プラントの監視又は制御に用いられる複数のモニタの表示画面を適宜切り替えるマルチモニタ切替装置及びマルチモニタ切替方法に関するものである。
【背景技術】
【０００２】
例えば、発電プラントや化学プラントなどでは、複数のモニタが実装されている運転操作卓が監視制御室等に設置され、プラントの運転操作員（以下、「オペレータ」と称する）が、複数のモニタに表示されている画面等を見ながら、プラントの監視や制御を行うことが一般的である（例えば、特許文献１を参照）。
発電プラントや化学プラントなどでは、用意されている画面の種類が多く（プラントによっては数百の画面が用意されていることもある）、多くの画面の中から、所望の画面が選択されて、数台のモニタに表示される。
【０００３】
例えば、運転操作卓が３台のモニタ１，２，３を実装しているとき、予め用意されている多くの画面の中から、オペレータが、例えば、プラントの系統図を示す画面、トレンドグラフを示す画面、プラントの運転履歴を示す画面を選択し、プラントの系統図を示す画面をモニタ１、トレンドグラフを示す画面をモニタ２、プラントの運転履歴を示す画面をモニタ３に表示するなどの運用がなされることがある。
このとき、運転操作卓に実装されているモニタの台数が３台程度の少数であれば、オペレータが、どのモニタにどの画面が表示されているかを把握することは容易であるが、運転操作卓に実装されているモニタの台数が増加すると、どのモニタにどの画面が表示されているかを把握することは困難である。
【０００４】
また、プラントの監視や制御において、各モニタに表示される画面の種類は固定されず、例えば、モニタ１に表示されている画面とモニタ２に表示されている画面を切り替える操作を行うことがある。
以下の特許文献２には、例えば、モニタ１に表示されている画面が画面（１）、モニタ２に表示されている画面が画面（２）、モニタ３に表示されている画面が画面（３）であるとき、モニタ１に表示されている画面とモニタ２に表示されている画面の切替要求を受けると、画面（２）をモニタ１に表示して、画面（１）をモニタ２に表示するマルチモニタ切替装置が開示されている。
【０００５】
したがって、オペレータが、どのモニタにどの画面が表示されているかを把握していれば、画面の切替要求を入力することで、各モニタに表示されている画面間の切替を簡単に行うことができる。
しかし、運転操作卓に実装されているモニタの台数が増加すると、オペレータが、どのモニタにどの画面が表示されているかを把握することは困難であるため、実際、どのモニタに対する画面の切替要求を入力すればよいか判断できないことがある。
どのモニタに対する画面の切替要求を入力すればよいか判断できない場合、オペレータが、各モニタの設置位置まで移動して（図１９を参照）、当該モニタに表示させる画面を新たに選択して、その画面を表示させる操作が必要となり、多くの手間と労力を要することになる。
【先行技術文献】
【特許文献】
【０００６】
【特許文献１】特開平１１−２１２６３２号公報（図１）
【特許文献２】特開平１０−２４０２０９号公報（段落番号［００１４］から［００１６］、図１）
【発明の概要】
【発明が解決しようとする課題】
【０００７】
従来のマルチモニタ切替装置は以上のように構成されているので、オペレータが、どのモニタにどの画面が表示されているかを把握していれば、画面の切替要求を入力することで、各モニタに表示されている画面を簡単に切り替えることができる。しかし、運転操作卓に実装されているモニタの台数が増加すると、オペレータが、どのモニタにどの画面が表示されているかを把握することは困難であるため、実際、どのモニタに対する画面の切替要求を入力すればよいか判断できないことがある。このような場合、オペレータが、各モニタの設置位置まで移動して、当該モニタに表示させる画面を新たに選択して、その画面を表示させる操作が必要となり、多くの手間と労力を要する課題があった。
【０００８】
また、運転操作卓に実装されている全てのモニタがオペレータの視野に入れば、オペレータが、どのモニタにどの画面が表示されているかを覚えていなくても、全てのモニタを見ることで、どのモニタにどの画面が表示されているかを把握することができるが、運転操作卓に実装されているモニタの台数が多くて、全てのモニタがオペレータの視野に入らない場合（図２０を参照）、一度に全てのモニタを見ることができず、どのモニタにどの画面が表示されているかを容易に把握することができない課題があった。
【０００９】
この発明は上記のような課題を解決するためになされたもので、どのモニタを見ても、全てのモニタに表示されている画面を把握することができるとともに、各モニタに表示されている画面間の切替を簡単に行うことができるマルチモニタ切替装置及びマルチモニタ切替方法を得ることを目的とする。
【課題を解決するための手段】
【００１０】
この発明に係るマルチモニタ切替装置は、プラントの監視又は制御に用いられる複数のモニタと表示画面の対応関係が記録されているテーブルを保持するテーブル保持手段と、テーブル保持手段により保持されているテーブルを参照して、複数のモニタに表示される画面を生成する画面生成手段と、テーブル保持手段により保持されているテーブルを参照して、画面生成手段で生成された画面毎の識別情報を示すタブ群を生成するタブ群生成手段と、タブ群生成手段により生成されたタブ群を画面生成手段により生成された各モニタの画面に合成し、タブ群合成後の画面を各モニタに表示する画面表示手段と、画面表示手段によりタブ群合成後の画面が表示されている各モニタに対する操作を受け付ける操作受付手段と、操作受付手段により或るモニタに対する操作が受け付けられ、その操作が或るモニタ以外のモニタに表示されている画面の識別情報を示すタブを押下する操作であれば、或るモニタに表示されている画面が或るモニタ以外のモニタに表示されている画面に切り替わり、かつ、或るモニタ以外のモニタに表示されている画面が或るモニタに表示されている画面に切り替わるように、テーブルに記録されているモニタと表示画面の対応関係を更新する対応関係更新手段とを備えたものである。
【発明の効果】
【００１１】
この発明によれば、プラントの監視又は制御に用いられる複数のモニタと表示画面の対応関係が記録されているテーブルを保持するテーブル保持手段と、テーブル保持手段により保持されているテーブルを参照して、複数のモニタに表示される画面を生成する画面生成手段と、テーブル保持手段により保持されているテーブルを参照して、画面生成手段で生成された画面毎の識別情報を示すタブ群を生成するタブ群生成手段と、タブ群生成手段により生成されたタブ群を画面生成手段により生成された各モニタの画面に合成し、タブ群合成後の画面を各モニタに表示する画面表示手段と、画面表示手段によりタブ群合成後の画面が表示されている各モニタに対する操作を受け付ける操作受付手段と、操作受付手段により或るモニタに対する操作が受け付けられ、その操作が或るモニタ以外のモニタに表示されている画面の識別情報を示すタブを押下する操作であれば、或るモニタに表示されている画面が或るモニタ以外のモニタに表示されている画面に切り替わり、かつ、或るモニタ以外のモニタに表示されている画面が或るモニタに表示されている画面に切り替わるように、テーブルに記録されているモニタと表示画面の対応関係を更新する対応関係更新手段とを備えるように構成したので、どのモニタを見ても、全てのモニタに表示されている画面を把握することができるとともに、各モニタに表示されている画面間の切替を簡単に行うことができる効果がある。
【図面の簡単な説明】
【００１２】
【図１】この発明の実施の形態１によるマルチモニタ切替装置を示す構成図である。
【図２】この発明の実施の形態１によるマルチモニタ切替装置の処理内容を示すフローチャートである。
【図３】モニタ／画面関係テーブルにより記録されている対応関係の一例を示す説明図である。
【図４】タブ群生成部１４により生成されるタブ群の一例を示す説明図である。
【図５】表示画面合成部１５によりタブ群が合成されている画面Ａ，Ｂ，Ｃの一例を示す説明図である。
【図６】対応関係更新部１９により更新されたモニタ／画面関係テーブルに記録されている対応関係の一例を示す説明図である。
【図７】タブ群生成部１４により生成されるタブ群の一例を示す説明図である。
【図８】表示画面合成部１５によりタブ群が合成されている画面Ｂ，Ａ，Ｃの一例を示す説明図である。
【図９】この発明の実施の形態２によるマルチモニタ切替装置を示す構成図である。
【図１０】タブ群生成部１４により生成されるタブ群の一例を示す説明図である。
【図１１】対応関係更新部２０により更新されたモニタ／画面関係テーブルに記録されている対応関係の一例を示す説明図である。
【図１２】タブ群生成部１４により生成されるタブ群の一例を示す説明図である。
【図１３】表示画面合成部１５によりタブ群が合成されている画面Ａ，Ａ，Ｃの一例を示す説明図である。
【図１４】この発明の実施の形態３によるマルチモニタ切替装置を示す構成図である。
【図１５】タブ群を構成している複数のタブの自動整列を示す説明図である。
【図１６】タブ内のサムネイルを示す説明図である。
【図１７】モニタの表示領域が左右に分割されている例を示す説明図である。
【図１８】タブ群生成部１４，２１により生成されるタブ群の一例を示す説明図である。
【図１９】画面選択時のオペレータの移動を示す説明図である。
【図２０】オペレータの視野に入るモニタを示す説明図である。
【発明を実施するための形態】
【００１３】
実施の形態１．
図１はこの発明の実施の形態１によるマルチモニタ切替装置を示す構成図である。
図１において、モニタ１，２，３は各種の画面を表示するディスプレイ装置であり、例えば、発電プラントや化学プラントの監視制御室等に設置されている運転操作卓に実装される。
発電プラントや化学プラントなどでは、予め、多くの画面が用意されており、多くの画面の中から、オペレータによって、所望の画面が選択されてモニタ１，２，３に表示される。
図１では、説明の簡単化のために、３台のモニタ１，２，３が運転操作卓に実装されている例を示しているが、これは一例に過ぎず、４台以上のモニタが運転操作卓に実装されている場合もある。
【００１４】
テーブル保持部１１は例えばＲＡＭやハードディスクなどの記憶装置を内蔵しており、モニタ１，２，３と表示画面の対応関係（モニタ１，２，３を示すモニタ識別番号と、モニタ１，２，３に表示される画面を示す画面識別番号との対応関係）が記録されているモニタ／画面関係テーブルを内部の記憶装置に記録している。なお、テーブル保持部１１はテーブル保持手段を構成している。
画面データ記憶部１２は例えばハードディスクなどの記憶装置から構成されており、予め用意されている各種の画面に関する画面データや、当該画面の画面名称（画面の識別情報）などを示す属性情報を記憶している。
【００１５】
画面生成部１３は例えばＧＰＵ（Ｇｒａｐｈｉｃｓ  Ｐｒｏｃｅｓｓｉｎｇ  Ｕｎｉｔ）などから構成されており、テーブル保持部１１により保持されているモニタ／画面関係テーブルを参照して、モニタ１，２，３に表示する画面の種類を確認し、画面データ記憶部１２からモニタ１，２，３に表示する画面の画面データを取得して、その画面を生成する処理を実施する。例えば、モニタ１を示すモニタ識別番号に対応する画面識別番号がプラントの系統図を示していれば、プラントの系統図を示す画面を生成し、モニタ２を示すモニタ識別番号に対応する画面識別番号がトレンドグラフを示していれば、トレンドグラフを示す画面を生成し、モニタ３を示すモニタ識別番号に対応する画面識別番号がプラントの運転履歴画面であれば、プラントの運転履歴を示す画面を生成する。
なお、画面生成部１３は画面生成手段を構成している。
【００１６】
タブ群生成部１４は例えばＧＰＵなどから構成されており、テーブル保持部１１により保持されているモニタ／画面関係テーブルを参照して、モニタ１，２，３に表示する画面の種類を確認し、画面データ記憶部１２からモニタ１，２，３に表示する画面の画面名称を取得して、モニタ１，２，３に表示する画面の画面名称を示すタブ群を生成する処理を実施する。
図１の例では、運転操作卓に実装されているモニタの台数が３台であるため、３個のタブから構成されているタブ群を生成する。したがって、運転操作卓に実装されているモニタの台数がＮ台であれば、Ｎ個のタブから構成されているタブ群を生成する。
なお、タブ群生成部１４はタブ群生成手段を構成している。
【００１７】
表示画面合成部１５は例えばＣＰＵを実装している半導体集積回路やワンチップマイコンなどから構成されており、タブ群生成部１４により生成されたタブ群を画面生成部１３により生成されたモニタ１，２，３の画面に合成する画面合成処理や、タブ群合成後の画面をモニタ１，２，３に表示する画面表示処理などを実施する。なお、表示画面合成部１５は画面表示手段を構成している。
【００１８】
マンマシンインタフェース１６は例えばマウスやキーボードなどの入力装置であり、オペレータがモニタ１，２，３に表示する画面を選択する場合や、モニタ１，２，３に表示されている画面を切り替える場合などに使用される入力装置である。なお、モニタ１，２，３がタッチスクリーンを実装している場合、タッチペンやオペレータの指もマンマシンインタフェース１６として使用することができる。
入力モニタ検出部１７は例えばＣＰＵを実装している半導体集積回路やワンチップマイコンなどから構成されており、オペレータがマンマシンインタフェース１６を使用することで、操作を行っているモニタを検出する処理を実施する。
【００１９】
入力コマンド解析部１８は例えばＣＰＵを実装している半導体集積回路やワンチップマイコンなどから構成されており、オペレータによりマンマシンインタフェース１６を用いて入力された操作を受け付けて、その操作内容を解析する処理を実施する。
なお、マンマシンインタフェース１６、入力モニタ検出部１７及び入力コマンド解析部１８から操作受付手段が構成されている。
【００２０】
対応関係更新部１９は例えばＣＰＵを実装している半導体集積回路やワンチップマイコンなどから構成されており、例えば、入力モニタ検出部１７により検出されたモニタ（オペレータが操作を行っているモニタ）がモニタ１であるとき、入力コマンド解析部１８により解析された操作内容が、モニタ２（または、モニタ３）に表示されている画面の画面名称を示すタブを押下する操作である旨を示していれば、モニタ１に表示されている画面がモニタ２（または、モニタ３）に表示されている画面に切り替わり、かつ、モニタ２（または、モニタ３）に表示されている画面がモニタ１に表示されている画面に切り替わるように、テーブル保持部１１のモニタ／画面関係テーブルに記録されているモニタ識別番号と画面識別番号の対応関係を更新する処理を実施する。なお、対応関係更新部１９は対応関係更新手段を構成している。
【００２１】
図１の例では、マルチモニタ切替装置の構成要素であるテーブル保持部１１、画面生成部１３、タブ群生成部１４、表示画面合成部１５、入力モニタ検出部１７、入力コマンド解析部１８及び対応関係更新部１９のそれぞれが専用のハードウェアで構成されているものを想定しているが、マルチモニタ切替装置がコンピュータで構成される場合、テーブル保持部１１、画面生成部１３、タブ群生成部１４、表示画面合成部１５、入力モニタ検出部１７、入力コマンド解析部１８及び対応関係更新部１９の処理内容を記述しているプログラムを当該コンピュータのメモリに格納し、当該コンピュータのＣＰＵが当該メモリに格納されているプログラムを実行するようにしてもよい。
図２はこの発明の実施の形態１によるマルチモニタ切替装置の処理内容を示すフローチャートである。
【００２２】
次に動作について説明する。
テーブル保持部１１により保持されているモニタ／画面関係テーブルには、モニタ１，２，３を示すモニタ識別番号と、モニタ１，２，３に表示される画面を示す画面識別番号との対応関係が記録されている。
図３はモニタ／画面関係テーブルにより記録されている対応関係の一例を示す説明図である。
図３の例では、モニタ１には画面Ａ（例えば、プラントの系統図）が表示され、モニタ２には画面Ｂ（例えば、トレンドグラフ）が表示され、モニタ３には画面Ｃ（例えば、プラントの運転履歴画面）が表示される旨を示している。
【００２３】
また、画面データ記憶部１２には、予め用意されている各種の画面に関する画面データ（例えば、画面のレイアウトに関するグラフィックデータ、画面に表記されるプラントの計測値やトレンドデータなどのデータが該当する）や、当該画面の画面名称などを示す属性情報が記録されている。
【００２４】
画面生成部１３は、テーブル保持部１１により保持されているモニタ／画面関係テーブルを参照して、モニタ１，２，３に表示する画面の種類を確認する。
図３の例では、モニタ１に表示する画面は画面Ａ、モニタ２に表示する画面は画面Ｂ、モニタ３に表示する画面は画面Ｃであることを確認する。
画面生成部１３は、モニタ１，２，３に表示する画面の種類を確認すると、画面データ記憶部１２からモニタ１，２，３に表示する画面Ａ，Ｂ，Ｃの画面データを取得して、その画面Ａ，Ｂ，Ｃを生成する。
即ち、画面データ記憶部１２から画面Ａに関する画面データを取得して画面Ａを生成し、画面Ｂに関する画面データを取得して画面Ｂを生成する。また、画面Ｃに関する画面データを取得して画面Ｃを生成する。
なお、画面Ａ，Ｂ，Ｃの生成処理自体は公知の技術であるため、ここでは詳細な説明を省略する。
【００２５】
タブ群生成部１４は、テーブル保持部１１により保持されているモニタ／画面関係テーブルを参照して、モニタ１，２，３に表示する画面の種類を確認する。
図３の例では、モニタ１に表示する画面は画面Ａ、モニタ２に表示する画面は画面Ｂ、モニタ３に表示する画面は画面Ｃであることを確認する。
タブ群生成部１４は、モニタ１，２，３に表示する画面の種類を確認すると、画面データ記憶部１２からモニタ１，２，３に表示する画面Ａ，Ｂ，Ｃの画面名称を取得して、モニタ１，２，３に表示する画面の画面名称を示すタブ群を生成する。
【００２６】
ここで、図４はタブ群生成部１４により生成されるタブ群の一例を示す説明図である。
図１の例では、３台のモニタ１，２，３が運転操作卓に実装されているので、図４に示すように、３個のタブから構成されているタブ群が生成されている。
ただし、モニタ１に表示されるタブ群を構成する３個のタブと、モニタ２に表示されるタブ群を構成する３個のタブと、モニタ３に表示されるタブ群を構成する３個のタブとは同一であるが、モニタ１に表示されるタブ群では、モニタ１に表示される画面Ａに係るタブが最前に見えて、モニタ２，３に表示される画面Ｂ，Ｃに係るタブが後方に見えるように、タブ群が生成されている。
【００２７】
また、モニタ２に表示されるタブ群では、モニタ２に表示される画面Ｂに係るタブが最前に見えて、モニタ１，３に表示される画面Ａ，Ｃに係るタブが後方に見えるように、タブ群が生成されている。
また、モニタ３に表示されるタブ群では、モニタ３に表示される画面Ｃに係るタブが最前に見えて、モニタ１，２に表示される画面Ａ，Ｂに係るタブが後方に見えるように、タブ群が生成されている。
タブ群を構成している３個のタブには、モニタ１，２，３に表示される画面の画面名称（例えば、プラントの系統図、トレンドグラフ、プラントの運転履歴画面など）が表示されるが、図４では、図面表記の簡単化のため、画面名称を、画面Ａ、画面Ｂ、画面Ｃで表している。
なお、図４では、画面Ａ，Ｂ，Ｃに係るタブには、モニタ１，２，３を識別するモニタ識別番号［１］，［２］，［３］が表示されている。
【００２８】
表示画面合成部１５は、画面生成部１３がモニタ１，２，３に表示する画面Ａ，Ｂ，Ｃを生成し、タブ群生成部１４がタブ群を生成すると、そのタブ群を画面生成部１３により生成された画面Ａ，Ｂ，Ｃに合成し、タブ群合成後の画面Ａ，Ｂ，Ｃをモニタ１，２，３に表示する。
図５は表示画面合成部１５によりタブ群が合成されている画面Ａ，Ｂ，Ｃの一例を示す説明図である。
図５では、モニタ１，２，３の上部の領域である領域甲に、画面生成部１３により生成された画面Ａ，Ｂ，Ｃが表示され、モニタ１，２，３の下部の領域である領域乙に、タブ群生成部１４により生成されたタブ群が表示されている例を示している。
【００２９】
これにより、オペレータは、例えば、モニタ１の前に座って、モニタ１に表示されている画面Ａを見ているとき、モニタ１の領域乙にはタブ群が表示されているので、モニタ２，３の前に移動しなくても、モニタ２，３に表示されている画面が、画面Ｂ，Ｃであることを把握することができる。
【００３０】
次に、オペレータがモニタ１の前に座っているとき、例えば、モニタ１，２に表示されている画面Ａ，Ｂを切り替える必要が生じると（モニタ１：画面Ａ→画面Ｂ、モニタ２：画面Ｂ→画面Ａ）、オペレータがマンマシンインタフェース１６を用いて、モニタ１，２に表示されている画面Ａ，Ｂの切り替え操作を行う（ステップＳＴ１）。
即ち、モニタ１の領域乙に表示されているタブ群のうち、次にモニタ１に表示する画面Ｂの画面名称を示すタブを押下する操作を行う。
【００３１】
入力モニタ検出部１７は、オペレータがマンマシンインタフェース１６を使用して、モニタ１，２に表示されている画面Ａ，Ｂの切り替え操作として、モニタ１の領域乙に表示されている画面Ｂの画面名称を示すタブを押下する操作を行うと、オペレータが操作を行っているモニタを検出する（ステップＳＴ２）。
この場合には、オペレータが操作を行っているモニタが、モニタ１であることが検出される。
入力モニタ検出部１７は、オペレータが操作を行っているモニタがモニタ１であることを検出すると、そのモニタ１を示すモニタ識別番号（１）を入力コマンド解析部１８に出力する。
【００３２】
入力コマンド解析部１８は、オペレータがマンマシンインタフェース１６を使用して操作を行うと、その操作を受け付けて、その操作内容を解析する。
入力コマンド解析部１８は、オペレータがモニタ１の領域乙に表示されているタブ群を構成しているいずれかのタブを押下する操作を行うと、２つの画面を切り替える操作が行われたものと認識する。
上記のように、画面Ｂの画面名称を示すタブが押下されて、入力モニタ検出部１７からモニタ識別番号（１）を受けると、モニタ１，２に表示されている画面Ａ，Ｂの切り替え操作であると認識する。
入力コマンド解析部１８は、操作内容の解析結果として、モニタ１，２に表示されている画面Ａ，Ｂの切り替えを指示する切替要求信号（Ａ−Ｂ）を対応関係更新部１９に出力する（ステップＳＴ３）。
【００３３】
対応関係更新部１９は、入力コマンド解析部１８から切替要求信号（Ａ−Ｂ）を受けると、その切替要求信号（Ａ−Ｂ）にしたがって、テーブル保持部１１のモニタ／画面関係テーブルに記録されているモニタ識別番号と画面識別番号の対応関係を更新する（ステップＳＴ４）。
即ち、対応関係更新部１９は、モニタ１に表示されている画面Ａがモニタ２に表示されている画面Ｂに切り替わり、かつ、モニタ２に表示されている画面Ｂがモニタ１に表示されている画面Ａに切り替わるように、テーブル保持部１１のモニタ／画面関係テーブルに記録されているモニタ識別番号と画面識別番号の対応関係を更新する。
【００３４】
図６は対応関係更新部１９により更新されたモニタ／画面関係テーブルに記録されている対応関係の一例を示す説明図である。
図６の例では、モニタ１には画面Ｂ（例えば、トレンドグラフ）が表示され、モニタ２には画面Ａ（例えば、プラントの系統図）が表示され、モニタ３には画面Ｃ（例えば、プラントの運転履歴画面）が表示される旨を示している。
【００３５】
画面生成部１３は、対応関係更新部１９がテーブル保持部１１により保持されているモニタ／画面関係テーブルを更新すると（ステップＳＴ５）、更新後のモニタ／画面関係テーブルを参照して、モニタ１，２，３に表示する画面の種類を確認する。
図６の例では、モニタ１に表示する画面は画面Ｂ、モニタ２に表示する画面は画面Ａ、モニタ３に表示する画面は画面Ｃであることを確認する。
画面生成部１３は、モニタ１，２，３に表示する画面の種類を確認すると、画面データ記憶部１２からモニタ１，２，３に表示する画面Ｂ，Ａ，Ｃの画面データを取得して、その画面Ｂ，Ａ，Ｃを生成する（ステップＳＴ６）。
【００３６】
タブ群生成部１４は、対応関係更新部１９により更新されたモニタ／画面関係テーブルを参照して、モニタ１，２，３に表示する画面の種類を確認する。
図６の例では、モニタ１に表示する画面は画面Ｂ、モニタ２に表示する画面は画面Ａ、モニタ３に表示する画面は画面Ｃであることを確認する。
タブ群生成部１４は、モニタ１，２，３に表示する画面の種類を確認すると、画面データ記憶部１２からモニタ１，２，３に表示する画面Ｂ，Ａ，Ｃの画面名称を取得して、モニタ１，２，３に表示する画面Ｂ，Ａ，Ｃの画面名称を示すタブ群を生成する（ステップＳＴ７）。
【００３７】
ここで、図７はタブ群生成部１４により生成されるタブ群の一例を示す説明図である。
図７に示すように、モニタ１に表示されるタブ群を構成する３個のタブと、モニタ２に表示されるタブ群を構成する３個のタブと、モニタ３に表示されるタブ群を構成する３個のタブとは同一であるが、モニタ１に表示されるタブ群では、モニタ１に表示される画面Ｂに係るタブが最前に見えて、モニタ２，３に表示される画面Ａ，Ｃに係るタブが後方に見えるように、タブ群が生成されている。
【００３８】
また、モニタ２に表示されるタブ群では、モニタ２に表示される画面Ａに係るタブが最前に見えて、モニタ１，３に表示される画面Ｂ，Ｃに係るタブが後方に見えるように、タブ群が生成されている。
また、モニタ３に表示されるタブ群では、モニタ３に表示される画面Ｃに係るタブが最前に見えて、モニタ１，２に表示される画面Ｂ，Ａに係るタブが後方に見えるように、タブ群が生成されている。
なお、タブ群を構成している３個のタブには、モニタ１，２，３に表示される画面の画面名称（例えば、トレンドグラフ、プラントの系統図、プラントの運転履歴画面など）が表示されるが、図７では、図面表記の簡単化のため、画面名称を、画面Ｂ、画面Ａ、画面Ｃで表している。
【００３９】
表示画面合成部１５は、画面生成部１３がモニタ１，２，３に表示する画面Ｂ，Ａ，Ｃを生成し、タブ群生成部１４がタブ群を生成すると、そのタブ群を画面生成部１３により生成された画面Ｂ，Ａ，Ｃに合成し、タブ群合成後の画面Ｂ，Ａ，Ｃをモニタ１，２，３に表示する（ステップＳＴ８）。
図８は表示画面合成部１５によりタブ群が合成されている画面Ｂ，Ａ，Ｃの一例を示す説明図である。
図８では、モニタ１，２，３の上部の領域である領域甲に、画面生成部１３により生成された画面Ｂ，Ａ，Ｃが表示され、モニタ１，２，３の下部の領域である領域乙に、タブ群生成部１４により生成されたタブ群が表示されている例を示している。
これにより、オペレータは、モニタ１の前に座って、モニタ１に対する操作を行うだけで、モニタ２に対する操作を行うことなく、モニタ１，２に表示されている画面Ａ，Ｂを切り替えることができる。
【００４０】
以上で明らかなように、この実施の形態１によれば、プラントの監視又は制御に用いられるモニタ１，２，３と表示画面の対応関係が記録されているモニタ／画面関係テーブルを保持するテーブル保持部１１と、テーブル保持部１１により保持されているモニタ／画面関係テーブルを参照して、モニタ１，２，３に表示される画面Ａ，Ｂ，Ｃを生成する画面生成部１３と、テーブル保持部１１により保持されているモニタ／画面関係テーブルを参照して、モニタ１，２，３に表示される画面Ａ，Ｂ，Ｃの画面名称を示すタブ群を生成するタブ群生成部１４と、タブ群生成部１４により生成されたタブ群を画面生成部１３により生成されたモニタ１，２，３の画面Ａ，Ｂ，Ｃに合成し、タブ群合成後の画面Ａ，Ｂ，Ｃをモニタ１，２，３に表示する表示画面合成部１５と、表示画面合成部１５によりタブ群合成後の画面Ａ，Ｂ，Ｃが表示されているモニタ１，２，３に対する操作を受け付ける操作受付手段とを設け、例えば、操作受付手段によりモニタ１に対する操作が受け付けられ、その操作がモニタ２に表示されている画面Ｂの画面名称を示すタブを押下する操作であれば、対応関係更新部１９が、モニタ１に表示されている画面Ａがモニタ２に表示されている画面Ｂに切り替わり、かつ、モニタ２に表示されている画面Ｂがモニタ１に表示されている画面Ａに切り替わるように、モニタ／画面関係テーブルに記録されているモニタ識別番号と画面識別番号を更新するように構成したので、どのモニタを見ても、全てのモニタ１，２，３に表示されている画面を把握することができるとともに、モニタ１，２，３に表示されている画面間の切替を簡単に行うことができる効果を奏する。
【００４１】
なお、この実施の形態１では、オペレータがモニタ１に対する操作を行うことで、モニタ１，２に表示されている画面Ａ，Ｂを切り替えるものについて示したが、オペレータがモニタ２に対する操作を行うことで、モニタ１，２に表示されている画面Ａ，Ｂを切り替えるようにしてもよい。
また、２つの画面間の切り替えは、画面Ａと画面Ｂ間に限定するものではなく、画面Ａと画面Ｃ間の切り替えや、画面Ｂと画面Ｃ間の切り替えであっても、画面Ａと画面Ｂ間の切り替えと同様に切り替えることができる。
【００４２】
実施の形態２．
図９はこの発明の実施の形態２によるマルチモニタ切替装置を示す構成図であり、図において、図１と同一符号は同一又は相当部分を示すので説明を省略する。
対応関係更新部２０は例えばＣＰＵを実装している半導体集積回路やワンチップマイコンなどから構成されており、例えば、入力モニタ検出部１７により検出されたモニタ（オペレータが操作を行っているモニタ）がモニタ１であるとき、入力コマンド解析部１８により解析された操作内容が、モニタ２（または、モニタ３）に表示されている画面の画面名称を示すタブを押下する操作である旨を示していれば、図１の対応関係更新部１９と同様に、モニタ１に表示されている画面がモニタ２（または、モニタ３）に表示されている画面に切り替わり、かつ、モニタ２（または、モニタ３）に表示されている画面がモニタ１に表示されている画面に切り替わるように、テーブル保持部１１のモニタ／画面関係テーブルに記録されているモニタ識別番号と画面識別番号の対応関係を更新する処理を実施する。
【００４３】
また、対応関係更新部２０は、例えば、入力モニタ検出部１７により検出されたモニタ（オペレータが操作を行っているモニタ）がモニタ１であるとき、入力コマンド解析部１８により解析された操作内容が、モニタ１に表示されている画面を他のモニタ２（または、モニタ３）に複製を指示する操作であれば、他のモニタ２（または、モニタ３）に表示されている画面がモニタ１に表示されている画面に切り替わるように、テーブル保持部１１のモニタ／画面関係テーブルに記録されているモニタ識別番号と画面識別番号の対応関係を更新する処理を実施する。なお、対応関係更新部２０は対応関係更新手段を構成している。
【００４４】
図９の例では、マルチモニタ切替装置の構成要素であるテーブル保持部１１、画面生成部１３、タブ群生成部１４、表示画面合成部１５、入力モニタ検出部１７、入力コマンド解析部１８及び対応関係更新部２０のそれぞれが専用のハードウェアで構成されているものを想定しているが、マルチモニタ切替装置がコンピュータで構成される場合、テーブル保持部１１、画面生成部１３、タブ群生成部１４、表示画面合成部１５、入力モニタ検出部１７、入力コマンド解析部１８及び対応関係更新部２０の処理内容を記述しているプログラムを当該コンピュータのメモリに格納し、当該コンピュータのＣＰＵが当該メモリに格納されているプログラムを実行するようにしてもよい。
【００４５】
次に動作について説明する。
画面生成部１３は、上記実施の形態１と同様に、テーブル保持部１１により保持されているモニタ／画面関係テーブルを参照して、モニタ１，２，３に表示する画面Ａ，Ｂ，Ｃを生成する。
タブ群生成部１４も、上記実施の形態１と同様に、テーブル保持部１１により保持されているモニタ／画面関係テーブルを参照して、モニタ１，２，３に表示する画面の画面名称を示すタブ群を生成する。
ただし、タブ群生成部１４により生成されるタブ群を構成するタブの表示内容が上記実施の形態１と若干相違している。
【００４６】
図１０はタブ群生成部１４により生成されるタブ群の一例を示す説明図である。
図９の例では、３台のモニタ１，２，３が運転操作卓に実装されているので、図１０に示すように、３個のタブから構成されているタブ群が生成されている。
ただし、モニタ１に表示されるタブ群を構成する３個のタブと、モニタ２に表示されるタブ群を構成する３個のタブと、モニタ３に表示されるタブ群を構成する３個のタブとは同一であるが、モニタ１に表示されるタブ群では、モニタ１に表示される画面Ａに係るタブが最前に見えて、モニタ２，３に表示される画面Ｂ，Ｃに係るタブが後方に見えるように、タブ群が生成されている。
【００４７】
また、モニタ２に表示されるタブ群では、モニタ２に表示される画面Ｂに係るタブが最前に見えて、モニタ１，３に表示される画面Ａ，Ｃに係るタブが後方に見えるように、タブ群が生成されている。
また、モニタ３に表示されるタブ群では、モニタ３に表示される画面Ｃに係るタブが最前に見えて、モニタ１，２に表示される画面Ａ，Ｂに係るタブが後方に見えるように、タブ群が生成されている。
【００４８】
タブ群を構成している３個のタブには、モニタ１，２，３に表示される画面の画面名称（例えば、プラントの系統図、トレンドグラフ、プラントの運転履歴画面など）が表示されるが、図１０では、図面表記の簡単化のため、画面名称を、画面Ａ、画面Ｂ、画面Ｃで表している。
また、図１０では、画面Ａ，Ｂ，Ｃに係るタブには、モニタ１，２，３を識別するモニタ識別番号［１］，［２］，［３］が表示されている。
図１０に示すタブには、モニタに表示されている画面を他のモニタに複製する際に使用する画面複製ボタンが表示されている。
【００４９】
表示画面合成部１５は、画面生成部１３がモニタ１，２，３に表示する画面Ａ，Ｂ，Ｃを生成し、タブ群生成部１４がタブ群を生成すると、上記実施の形態１と同様に、そのタブ群を画面生成部１３により生成された画面Ａ，Ｂ，Ｃに合成し、タブ群合成後の画面Ａ，Ｂ，Ｃをモニタ１，２，３に表示する。
これにより、オペレータは、例えば、モニタ１の前に座って、モニタ１に表示されている画面Ａを見ているとき、モニタ１の領域乙にはタブ群が表示されているので、モニタ２，３の前に移動しなくても、モニタ２，３に表示されている画面が、画面Ｂ，Ｃであることを把握することができる。
【００５０】
次に、オペレータがモニタ１の前に座っているとき、例えば、モニタ１に表示されている画面Ａを他のモニタ２に複製する必要が生じると（モニタ１：画面Ａ→画面Ａ、モニタ２：画面Ｂ→画面Ａ）、オペレータがマンマシンインタフェース１６を用いて、モニタ１に表示されている画面Ａを他のモニタ２に複製する操作を行う。
即ち、モニタ１の領域乙に表示されているタブ群のうち、モニタ２に表示されている画面Ｂの画面名称を示すタブ内の「画面複製ボタン」を押下する操作を行う（図１０において、矢印が指している「画面複製ボタン」を押下する操作を行う）。
【００５１】
入力モニタ検出部１７は、オペレータがマンマシンインタフェース１６を使用して、モニタ１に表示されている画面Ａを他のモニタ２に複製する操作として、「画面複製ボタン」を押下する操作を行うと、オペレータが操作を行っているモニタを検出する。
この場合には、オペレータが操作を行っているモニタが、モニタ１であることが検出される。
入力モニタ検出部１７は、オペレータが操作を行っているモニタがモニタ１であることを検出すると、そのモニタ１を示すモニタ識別番号（１）を入力コマンド解析部１８に出力する。
【００５２】
入力コマンド解析部１８は、オペレータがマンマシンインタフェース１６を使用して操作を行うと、その操作を受け付けて、その操作内容を解析する。
入力コマンド解析部１８は、オペレータがモニタ１の領域乙に表示されているタブ群を構成しているいずれかのタブ内の「画面複製ボタン」を押下する操作を行うと、画面を複製する操作が行われたものと認識する。
上記のように、画面Ｂの画面名称を示すタブ内の「画面複製ボタン」が押下されて、入力モニタ検出部１７からモニタ識別番号（１）を受けると、モニタ１に表示されている画面Ａをモニタ２に複製する操作であると認識する。
入力コマンド解析部１８は、操作内容の解析結果として、モニタ１に表示されている画面Ａをモニタ２に複製する旨を指示する複製要求信号を対応関係更新部２０に出力する。
【００５３】
対応関係更新部２０は、入力コマンド解析部１８から複製要求信号を受けると、その複製要求信号にしたがって、テーブル保持部１１のモニタ／画面関係テーブルに記録されているモニタ識別番号と画面識別番号の対応関係を更新する。
即ち、対応関係更新部２０は、モニタ２に表示されている画面Ｂがモニタ１に表示されている画面Ａに切り替わるように、テーブル保持部１１のモニタ／画面関係テーブルに記録されているモニタ識別番号と画面識別番号の対応関係を更新する。
【００５４】
図１１は対応関係更新部２０により更新されたモニタ／画面関係テーブルに記録されている対応関係の一例を示す説明図である。
図１１の例では、モニタ１には画面Ａ（例えば、プラントの系統図）が表示され、モニタ２には画面Ａ（例えば、プラントの系統図）が表示され、モニタ３には画面Ｃ（例えば、プラントの運転履歴画面）が表示される旨を示している。
【００５５】
画面生成部１３は、対応関係更新部２０がテーブル保持部１１により保持されているモニタ／画面関係テーブルを更新すると、更新後のモニタ／画面関係テーブルを参照して、モニタ１，２，３に表示する画面の種類を確認する。
図１１の例では、モニタ１に表示する画面は画面Ａ、モニタ２に表示する画面は画面Ａ、モニタ３に表示する画面は画面Ｃであることを確認する。
画面生成部１３は、モニタ１，２，３に表示する画面の種類を確認すると、画面データ記憶部１２からモニタ１，２，３に表示する画面Ａ，Ａ，Ｃの画面データを取得して、その画面Ａ，Ａ，Ｃを生成する。
【００５６】
タブ群生成部１４は、対応関係更新部２０により更新されたモニタ／画面関係テーブルを参照して、モニタ１，２，３に表示する画面の種類を確認する。
図１１の例では、モニタ１に表示する画面は画面Ａ、モニタ２に表示する画面は画面Ａ、モニタ３に表示する画面は画面Ｃであることを確認する。
タブ群生成部１４は、モニタ１，２，３に表示する画面の種類を確認すると、画面データ記憶部１２からモニタ１，２，３に表示する画面Ａ，Ａ，Ｃの画面名称を取得して、モニタ１，２，３に表示する画面Ａ，Ａ，Ｃの画面名称を示すタブ群を生成する。
図１２はタブ群生成部１４により生成されるタブ群の一例を示す説明図である。
【００５７】
表示画面合成部１５は、画面生成部１３がモニタ１，２，３に表示する画面Ａ，Ａ，Ｃを生成し、タブ群生成部１４がタブ群を生成すると、そのタブ群を画面生成部１３により生成された画面Ａ，Ａ，Ｃに合成し、タブ群合成後の画面Ａ，Ａ，Ｃをモニタ１，２，３に表示する。
図１３は表示画面合成部１５によりタブ群が合成されている画面Ａ，Ａ，Ｃの一例を示す説明図である。
図１３では、モニタ１，２，３の上部の領域である領域甲に、画面生成部１３により生成された画面Ａ，Ａ，Ｃが表示され、モニタ１，２，３の下部の領域である領域乙に、タブ群生成部１４により生成されたタブ群が表示されている例を示している。
これにより、オペレータは、モニタ１の前に座ったまま、モニタ１に対する操作を行うことで、モニタ２に対する操作を行うことなく、モニタ１に表示されている画面Ａをモニタ２に複製することができる。
【００５８】
以上で明らかなように、この実施の形態２によれば、例えば、入力モニタ検出部１７により検出されたモニタがモニタ１であるとき、入力コマンド解析部１８により解析された操作内容が、モニタ１に表示されている画面を他のモニタ２に複製を指示する操作であれば、対応関係更新部２０が、他のモニタ２に表示されている画面がモニタ１に表示されている画面に切り替わるように、テーブル保持部１１のモニタ／画面関係テーブルに記録されているモニタ識別番号と画面識別番号の対応関係を更新するように構成したので、オペレータがモニタ１の前に座っているとき、モニタ１に対する操作を行うことで、モニタ２に対する操作を行うことなく、モニタ１に表示されている画面Ａをモニタ２に複製することができる効果を奏する。
【００５９】
なお、この実施の形態２では、オペレータがモニタ１に対する操作を行うことで、モニタ１に表示されている画面Ａをモニタ２に複製するものについて示したが、オペレータがモニタ１に対する操作を行うことで、モニタ１に表示されている画面Ａをモニタ３に複製するようにしてもよい。
また、オペレータがモニタ２又はモニタ３に対する操作を行うことで、モニタ２又はモニタ３に表示されている画面Ｂ，Ｃを他のモニタに複製するようにしてもよい。
【００６０】
この実施の形態２では、オペレータがモニタ１に対する操作を行うことで、モニタ１に表示されている画面Ａをモニタ２に複製するものについて示したが、この場合、モニタ２に表示されていた画面Ｂが、どのモニタにも表示されなくなり、画面Ｂの画面名称を示すタブがなくなる。
このため、モニタ１に表示されている画面Ａがモニタ２に複製された後は、画面Ｂを表示させる必要が生じると、オペレータが、予め用意されている多くの画面の中から、画面Ｂを選択して、その画面Ｂをモニタに表示させる多くの操作を行う必要がある。
そこで、この実施の形態２では、過去に、いずれかのモニタに表示されていた画面の履歴を保持し、オペレータが、その履歴の中から画面Ｂを選択すれば、その画面Ｂをモニタに表示できるようにして、操作の簡略化を図るようにしてもよい。
【００６１】
実施の形態３．
図１４はこの発明の実施の形態３によるマルチモニタ切替装置を示す構成図であり、図において、図９と同一符号は同一又は相当部分を示すので説明を省略する。
タブ群生成部２１は例えばＧＰＵなどから構成されており、図９のタブ群生成部１４と同様に、テーブル保持部１１により保持されているモニタ／画面関係テーブルを参照して、モニタ１，２，３に表示する画面の種類を確認し、画面データ記憶部１２からモニタ１，２，３に表示する画面の画面名称を取得して、モニタ１，２，３に表示する画面の画面名称を示すタブ群を生成する処理を実施する。
また、タブ群生成部２１は対応関係更新部２０により更新されたモニタ／画面関係テーブルを参照して、新たにタブ群を生成すると、新たなタブ群を生成してから一定時間の経過後に、そのタブ群を構成している複数のタブをモニタ識別番号順（モニタ番号順）に整列させる処理を実施する。なお、タブ群生成部２１はタブ群生成手段を構成している。
【００６２】
図１４の例では、マルチモニタ切替装置の構成要素であるテーブル保持部１１、画面生成部１３、タブ群生成部２１、表示画面合成部１５、入力モニタ検出部１７、入力コマンド解析部１８及び対応関係更新部２０のそれぞれが専用のハードウェアで構成されているものを想定しているが、マルチモニタ切替装置がコンピュータで構成される場合、テーブル保持部１１、画面生成部１３、タブ群生成部２１、表示画面合成部１５、入力モニタ検出部１７、入力コマンド解析部１８及び対応関係更新部２０の処理内容を記述しているプログラムを当該コンピュータのメモリに格納し、当該コンピュータのＣＰＵが当該メモリに格納されているプログラムを実行するようにしてもよい。
【００６３】
次に動作について説明する。
上記実施の形態１，２では、対応関係更新部２０がモニタ／画面関係テーブルにより記録されている対応関係を更新すると、タブ群生成部１４が更新後の対応関係を参照して、新たにタブ群を生成するものについて示したが、２つの画面間の切り替え操作を繰り返すと、タブ群を構成している複数のタブの表示位置が、モニタ識別番号の番号順ではなくなり（図７におけるモニタ１では、モニタ識別番号が左から［２］［１］［３］の順番になっている）、見づらいものになる。
【００６４】
そこで、この実施の形態３では、タブ群生成部２１が、上記実施の形態１，２におけるタブ群生成部１４と同様にして、更新後のモニタ／画面関係テーブルを参照して、新たにタブ群を生成すると、新たなタブ群の生成時点から内部のタイマーを起動する。
タブ群生成部２１は、タイマーが一定時間の経過を検出すると、図１５に示すように、そのタブ群を構成している複数のタブをモニタ識別番号順に整列させるようにする。
これにより、そのタブ群を構成している複数のタブの表示位置が、運転操作卓に実装されている複数のモニタの配置関係と一致する。
【００６５】
以上で明らかなように、この実施の形態３によれば、タブ群生成部２１が、対応関係更新部２０により更新されたモニタ／画面関係テーブルを参照して、新たにタブ群を生成すると、新たなタブ群を生成してから一定時間の経過後に、そのタブ群を構成している複数のタブをモニタ識別番号順に整列させるように構成したので、そのタブ群を構成している複数のタブの表示位置が、運転操作卓に実装されている複数のモニタの配置関係と一致するようになり、見易いタブ群を提示することができる効果を奏する。
【００６６】
実施の形態４．
上記実施の形態１〜３では、タブ群生成部１４，２１が更新後のモニタ／画面関係テーブルを参照して、新たにタブ群を生成するものについて示したが、図１６に示すように、タブ群生成部１４，２１がタブ群を生成する際、画面生成部１３により生成された画面のサムネイルを、タブ群を構成している各タブに含めるようにしてもよい。
これにより、モニタの領域乙に表示されているタブ群を見ることで、他のモニタに表示されている画面を更に容易に把握することができる。
【００６７】
実施の形態５．
上記実施の形態１〜４では、モニタを上下に分割して、モニタの上部が領域甲（画面を表示する領域）で、モニタの下部が領域乙（タブ群を表示する領域）であるものについて示したが、モニタの分割態様は、これに限るものではなく、例えば、図１７に示すように、モニタを左右に分割して、モニタの左側が領域甲（画面を表示する領域）で、モニタの右側が領域乙（タブ群を表示する領域）であるようにしてもよい。
【００６８】
実施の形態６．
上記実施の形態１〜５では、運転操作卓に実装されているモニタ１，２，３の表示画面の画面名称を示すタブをモニタ１，２，３の乙領域に表示するものについて示したが、実際には運転操作卓に実装されていないモニタ（仮想モニタ）を想定し、図１８に示すように、その仮想モニタに表示する画面Ｄを生成して、その画面Ｄの画面名称を示すタブをタブ群に含めるようにしてもよい。
この場合、実際に運転操作卓に実装されているモニタ１，２，３に表示されていない画面Ｄをタブに関連付けることができるので、オペレータが、画面Ｄの画面名称を示すタブを押下する操作を行えば、簡単にモニタ１，２，３に画面Ｄを表示することができる。
【符号の説明】
【００６９】
１，２，３  モニタ、１１  テーブル保持部（テーブル保持手段）、１２  画面データ記憶部、１３  画面生成部（画面生成手段）、１４，２１  タブ群生成部（タブ群生成手段）、１５  表示画面合成部（画面表示手段）、１６  マンマシンインタフェース（操作受付手段）、１７  入力モニタ検出部（操作受付手段）、１８  入力コマンド解析部（操作受付手段）、１９，２０  対応関係更新部（対応関係更新手段）。
【図１】
0005599223.tif 000002
【図２】
0005599223.tif 000003
【図３】
0005599223.tif 000004
【図４】
0005599223.tif 000005
【図５】
0005599223.tif 000006
【図６】
0005599223.tif 000007
【図７】
0005599223.tif 000008
【図８】
0005599223.tif 000009
【図９】
0005599223.tif 000010
【図１０】
0005599223.tif 000011
【図１１】
0005599223.tif 000012
【図１２】
0005599223.tif 000013
【図１３】
0005599223.tif 000014
【図１４】
0005599223.tif 000015
【図１５】
0005599223.tif 000016
【図１６】
0005599223.tif 000017
【図１７】
0005599223.tif 000018
【図１８】
0005599223.tif 000019
【図１９】
0005599223.tif 000020
【図２０】
0005599223.tif 000021